(57)【要約】【課題】日時等に応じて、旬な情報を提供することのできる情報提供装置等を提供する。【解決手段】情報受信部３１は、提供元端末１０からメディア情報を受信する。情報加工部３２は、情報受信部３１が受信したメディア情報を加工して、少なくともタイトル及び期間（開始日、終了日）を含む索引ＤＢ３３及び、主要な情報を含むコンテンツＤＢ３４を作成する。索引処理部３５は、ユーザ端末２０からキーワードと日時を含む問い合わせ情報を受信すると、索引ＤＢ３３から日時が有効な情報を検索する。そして、検索した情報を検査部３６に供給して、コンテンツＤＢ３４から主要な情報を検索させる。索引処理部３５は、検査部３６から得た検索結果をユーザ端末２０に返信する。【選択図】図３
2010231571.tif 000002
【特許請求の範囲】
【請求項１】
少なくともタイトル及び期間を含む情報を格納するデータベースと、
ユーザからなされる、キーワード及び日時を含む問い合わせに応答して、前記データベースから日時が有効な情報を検索する検索処理手段と、
前記検索手段が検索した情報をユーザに提供する情報提供手段と、
を備えることを特徴とする情報提供装置。
【請求項２】
前記データベースは、タイトル及び期間を含む情報を格納する索引データベースと、メディア情報における主要な情報を格納するコンテンツデータベースとを含んでおり、
前記検索処理手段は、前記索引データベースを検索する索引処理手段と、前記コンテンツデータベースを検索する検索手段とを含んでいる、
ことを特徴とする請求項１に記載の情報提供装置。
【請求項３】
前記データベースは、メディア種別に応じた複数のコンテンツデータベースを含んでいる、
ことを特徴とする請求項２に記載の情報提供装置。
【請求項４】
所定の情報提供元からメディア情報を受信する情報受信手段と、
前記情報受信手段が受信したメディア情報から、少なくともタイトル及び期間を含む情報を加工する情報加工手段と、を更に備え、
前記データベースは、前記情報加工手段が加工した情報を格納する、
ことを特徴とする請求項１乃至３の何れか１項に記載の情報提供装置。
【請求項５】
データベースと、演算処理部とを有する情報提供装置における情報提供方法であって、
前記データベースには、少なくともタイトル及び期間を含む情報が格納されており、
前記演算処理部が、ユーザからなされる、キーワード及び日時を含む問い合わせに応答して、前記データベースから日時が有効な情報を検索する検索処理ステップと、
前記演算処理部が、前記検索ステップにて検索された情報をユーザに提供する情報提供ステップと、
を備えることを特徴とする情報提供方法。
【請求項６】
コンピュータを、
少なくともタイトル及び期間を含む情報を格納するデータベース、
ユーザからなされる、キーワード及び日時を含む問い合わせに応答して、前記データベースから日時が有効な情報を検索する検索処理部、
前記検索処理部が検索した情報をユーザに提供する情報提供部、
として機能させることを特徴とするプログラム。
【発明の詳細な説明】
【技術分野】
【０００１】
本発明は、日時等に応じて、旬な情報を提供することのできる情報提供装置、情報提供方法、および、プログラムに関する。
【背景技術】
【０００２】
近年のインターネットの普及によって、ネット上には莫大な情報が溢れ返っている。この莫大な情報の中から必要とする情報を探し出すことは、ユーザにとって非常に困難であった。例えば、一般的な検索システムを用いた場合でも、検索結果に不必要な情報が含まれるため、必要な情報だけをピンポイントで探し出すことは難しかった。
【０００３】
ところで、インターネット上におけるユーザの誘導方法として、「情報画像」を用いる試みがなされている。この情報画像は、バナー広告等を発展させたものであり、ユーザを複数の情報に巡回的に誘導したり、また、群として管理している複数の情報にユーザを誘導することができる。
このような情報画像に有効期限を持たせ、無用なトラフィックの発生を回避する発明も開示されている（例えば、特許文献１参照）。
【先行技術文献】
【特許文献】
【０００４】
【特許文献１】特開２００２−５１３２２号公報（第４−１２頁、第１図）
【発明の概要】
【発明が解決しようとする課題】
【０００５】
この特許文献１の発明では、有効期限（つまり、賞味期限）が切れた情報を削除することも可能である。
しかしながら、有効期限が切れていない情報や、商品情報等のように有効期限を設定することが難しい情報は大量に残ることになる。つまり、特許文献１の発明によって有効期限が切れた情報を削除等する場合でも、検索対象外にできる情報は少量に過ぎず、依然として大量な情報から必要な情報を探し出すという課題が残ったままであった。
【０００６】
このようなことから、大量の情報からユーザが必要とする情報を適切に探し出して提供できる技術が求められていた。
【０００７】
本発明は、このような課題を解決するためになされたもので、日時等に応じて、旬な情報を提供することのできる情報提供装置、情報提供方法、および、プログラムを提供することを目的とする。
【課題を解決するための手段】
【０００８】
本発明の第１の観点に係る情報提供装置は、
少なくともタイトル及び期間を含む情報を格納するデータベースと、
ユーザからなされる、キーワード及び日時を含む問い合わせに応答して、前記データベースから日時が有効な情報を検索する検索処理手段と、
前記検索手段が検索した情報をユーザに提供する情報提供手段と、
を備えることを特徴とする。
【０００９】
本発明の第２の観点に係る情報提供装置方法は、
データベースと、演算処理部とを有する情報提供装置における情報提供装置であって、
前記データベースには、少なくともタイトル及び期間を含む情報が格納されており、
前記演算処理部が、ユーザからなされる、キーワード及び日時を含む問い合わせに応答して、前記データベースから日時が有効な情報を検索する検索処理ステップと、
前記演算処理部が、前記検索ステップにて検索された情報をユーザに提供する情報提供ステップと、
を備えることを特徴とする。
【００１０】
本発明の第３の観点に係るプログラムは、
コンピュータを、
少なくともタイトル及び期間を含む情報を格納するデータベース、
ユーザからなされる、キーワード及び日時を含む問い合わせに応答して、前記データベースから日時が有効な情報を検索する検索処理部、
前記検索処理部が検索した情報をユーザに提供する情報提供部、
として機能させることを特徴とする。
【発明の効果】
【００１１】
本発明によれば、日時等に応じて、旬な情報を提供することができる。
【図面の簡単な説明】
【００１２】
【図１】本発明の概要を説明するための模式図である。
【図２】本発明の実施形態に係る情報提供システムの構成を示す模式図である。
【図３】情報システムにおける情報提供装置の構成を示すブロック図である。
【図４】各種のメディア情報の一例を示す模式図である。
【図５】（ａ）〜（ｃ）共に、索引ＤＢにおける３種類の内容を示す模式図である。
【図６】コンテンツＤＢの内容を示す模式図である。
【図７】本発明の実施形態に係る情報提供処理を説明するためのフローチャートである。
【図８】問合せ情報入力画面の一例を示す模式図である。
【発明を実施するための形態】
【００１３】
以下、本発明の実施形態について図面を参照して説明する。
はじめに、本発明の概要について説明する。図１は、本発明の概要を説明するための模式図であり、情報の流れを示している。
【００１４】
図示するように、提供元会社は、例えば、映画配給会社、放送局、ＤＶＤ発売元、舞台主催者、チケット販売会社、及び、出版社などからなる。
提供元会社は、情報提供者との間で、ユーザ（エンドユーザ）に情報を提供して宣伝を行う契約を結んでいる。提供元会社は、ユーザに宣伝したい情報をメディア情報として、情報提供者に供給する。
【００１５】
情報提供者は、このメディア情報からタイトル、出演者情報、地名情報などを抽出する。また、メディア情報の有効期間を開始日及び終了日として、メディア情報から抽出した情報に紐付けてＤＢに保有し、検索可能な状態にする。
【００１６】
ユーザは、タイトル、出演者などのキーワードを指定して、情報提供者にアクセスする。つまり、ユーザが求める情報について問い合わせを行う。なお、問い合わせでは、キーワードと共に日時（ユーザによる指定日時やシステム日時）が用いられる。
【００１７】
情報提供者は、その日時（一例として、指定日時）とキーワードとを用いた問い合わせを受けると、開始日が指定日時以上で且つ、終了日が指定日時以前である情報をＤＢから検索する。
情報提供者は、検索した情報を、旬な情報としてユーザに提供する。つまり、情報提供者は、メディア情報を基づいたタイムリーな情報を用いてユーザに宣伝する。
そして、情報提供者は、このような宣伝実績を供給元会社に供給し、それに応じた宣伝報酬を受け取る。
【００１８】
ユーザが求める情報は、その時々に応じて異なっている。そのため、本願発明は、ユーザが入力するキーワード、及び、日時（入力された日時等）をもとに、キーワードに対するその日時において適切な情報をユーザに提供する。
なお、情報の提供元は、映画配給会社、放送局などであり、ユーザに提供される情報を提供元会社の宣伝情報として捉えることができる。提供元会社は、第三者機関となる情報提供者に宣伝を依頼することで、新たな宣伝フィールドを獲得することができる。そして、情報提供者は、ユーザに対して旬な情報となる宣伝情報を提供し、提供提供元会社から宣伝報酬（宣伝料等）を受け取る。
【００１９】
このように、本願発明では、問合せをした日時、または、指定された日時に応じて、ユーザが求める情報群の中から、その時々に適切な情報を出し分けることが可能である。
【００２０】
以下、このような概要の本願発明を、具体的なハードウェア資源を用いて説明する。なお、以下の実施形態は説明のためのものであり、本願発明の範囲を制限するものではない。従って、当業者であればこれらの各要素または全要素をこれと均等なものに置換した実施形態を採用することが可能であるが、これらの実施形態も本発明の範囲に含まれる。
【００２１】
（実施例１）
図１は、本発明の実施形態に係る情報提供システムの構成を示すブロック図である。図示するように、本発明の情報提供システムは、提供元会社にて用いられる提供元端末１０と、ユーザにて用いられるユーザ端末２０と、情報提供者にて用いられる情報提供装置３０とが、ネットワークＮを介して通信可能に接続されて構成されている。
【００２２】
提供元端末１０は、上述したように、映画配給会社、放送局、ＤＶＤ発売元、舞台主催者、チケット販売会社、及び、出版社などの提供元会社において、ユーザに宣伝したい情報をメディア情報として、情報提供装置３０に供給する。
この提供元端末１０は、例えば、コンピュータ等からなり、ネットワークＮを介して、情報提供装置３０との間で種々の情報を送受信可能となっている。
【００２３】
ユーザ端末２０は、上述したように、タイトル、出演者などのキーワードがユーザにより入力され、情報提供装置３０にアクセスする（問い合わせる）。その際、システム日時やユーザによる指定日時を伴って、情報提供装置３０に問い合わせる。
このユーザ端末２０は、例えば、携帯電話やＰＤＡ（Personal Digital Assistant）等からなり、ネットワークＮを介して、情報提供装置３０との間で種々の情報を送受信可能となっている。なお、ユーザ端末２０は、これらの他にコンピュータ等であってもよい。
【００２４】
情報提供装置３０は、上述したように、キーワードに日時を伴う問い合わせをユーザ端末２０から受けると、開始日がこの日時以上で且つ、終了日がこの日時以前である情報を検索して、旬な情報としてユーザ端末２０に提供する。
以下、情報提供装置３０について、図３を参照して、より詳細に説明する。図３は、情報提供システムにおける情報提供装置３０の構成を説明するためのブロック図である。
【００２５】
図示するように、情報提供装置３０は、情報受信部３１と、情報加工部３２と、索引ＤＢ３３と、コンテンツＤＢ３４（３４−１〜３４−ｎ）と、索引処理部３５と、検索部３６とを備えて構成される。
なお、情報提供装置３０は、例えば、演算部（一例として、ＣＰＵ等）、記憶部（一例として、ＲＡＭ，ＲＯＭ，ハードディスク等）、及び、通信部（一例として、ＮＩＣ等）を有するサーバ等からなる。そして、記憶部に記憶されたプログラム等に基づいて動作する演算部、この演算部に制御される通信部、及び、必要な情報を記憶する記憶部等が、これら情報受信部３１〜検索部３６として機能する。
【００２６】
情報受信部３１は、提供元端末１０からメディア情報を受信する。このメディア情報は、フォーマットが定められているものとする。各社（提供元会社）から受信するメディア情報の一例を図４に示す。
これらのようなメディア情報Ｍ１〜Ｍ６を、情報受信部３１は各社から受信する。
すなわち、情報受信部３１は、チケット販売会社からタイトル、上映場所ごとの上映期間などのメディア情報Ｍ１を受け取る。また、出版社から書籍のタイトル、筆者、発売日、価格などのメディア情報Ｍ２を受け取る。放送局から映画やドラマ等の番組のタイトル、出演者、放送日などのメディア情報Ｍ３を受け取る。
更に、情報受信部３１は、映画配給会社から映画のタイトル、上映期間（公開日、公開終了日）などのメディア情報Ｍ４を受け取る。また、舞台主催者からタイトル、上演期間（公演期間）、出演者などのメディア情報Ｍ５を受け取る。そして、ＤＶＤ販売会社からＤＶＤのタイトル、発売日などのメディア情報Ｍ６を受け取る。
その他にも、情報受信部３１は、提携可能で且つ、有益な情報を保有する会社からメディア情報を受け取る。
そして、情報受信部３１は、これらのメディア情報を情報加工部３２に供給する。
【００２７】
情報加工部３２は、情報受信部３１が受信したメディア情報を適宜加工する。
例えば、情報加工部３２は、メディア情報からタイトル、開始日、及び、終了日等を抽出し、メディア情報の提供元に応じたメディア種別のカラムに抽出した情報を設定して索引ＤＢ３３を作成する。なお、索引ＤＢ３３の詳細については後述する。
また、情報加工部３２は、メディア情報を、コンテンツＤＢ３４のスキーマ等に合わせて加工し、コンテンツＤＢ３４の元情報を作成する。なお、コンテンツＤＢ３４の詳細については後述する。
【００２８】
索引ＤＢ３３は、索引処理部３５の検索作業を簡易化するために、例えば、タイトルＤＢ、人名ＤＢ、及び、場所ＤＢの３種類のデータベースから構成される。
【００２９】
タイトルＤＢは、一例として、図５（ａ）に示すように、タイトル、詳細タイトル、メディア種別、詳細タイトルＩＤ、開始日、終了日等の情報を格納する。
なお、一つの作品が複数のメディア種別に渡っている場合に、本編、宣伝番組など複数の情報が存在する場合が考えられる。そのため、これらを区別するために詳細タイトルが設けられており、タイトル以外の付加的な情報を設定可能としている。
また、映画、舞台などの上映・上演期間（開始日、終了日）は、上映場所等によって異なる。そのため、上述した情報加工部３２は、複数の場所で上映等されるタイトルについては開始日、終了日を空欄にしてレコードを登録してもよい。
【００３０】
人名ＤＢは、一例として、図５（ｂ）に示すように、人名、メディア種別、詳細タイトルＩＤ、開始日、終了日等の情報を格納する。
また、場所ＤＢは、一例として、図５（ｃ）に示すように、場所、メディア種別、詳細タイトルＩＤ、開始日、終了日等の情報を格納する。
なお、場所ＤＢでは、場所、タイトルごとの情報を管理する。そのため、上述した情報加工部３２は、詳細タイトルＩＤを元に、各場所の開始日、終了日を場所ＤＢに登録する。例えば、チケット販売会社から定期的に上映情報を入手した時点で、上映期間（上映開始情報、上映終了情報）を、場所ＤＢの開始日、終了日に設定する。
【００３１】
図３に戻って、コンテンツＤＢ３４（３４−１〜３４−ｎ）は、メディアごとに分けられており、それぞれ、映画情報、ドラマ情報、特番情報、原作情報、舞台情報、チケット情報、及び、ＤＶＤ情報など、ユーザが求める情報を格納する。
コンテンツＤＢ３４は、一例として、図６に示すように、詳細タイトルＩＤ、開始日、終了日、出演者、監督、上映場所、概要、発売元／放送局、上映場所等の情報を格納する。
なお、上述した索引ＤＢ３３では、詳細タイトルと詳細タイトルＩＤを紐付けしている。そして、このコンテンツＤＢ３４では、上記の情報に詳細タイトルＩＤを紐付けて管理している。
【００３２】
図３に戻って、索引処理部３５は、ユーザ端末２０からのアクセスに応じて、索引ＤＢ３３を検索する。
つまり、ユーザ端末２０から日時を伴ったキーワードによる問い合わせが行われると、索引処理部３５は、索引ＤＢ３３を走査する。
具体的に索引処理部３５は、キーワードにヒットしたレコード群から、日時（システム日時や指定日時）と開始日を比較し、最も間隔が短く、且つ日付が終了日前のレコードを検索する。なお、検索されるレコードは１つとは限らない。
索引処理部３５は、検索されたレコードの情報を、検索部３６（コンテンツＤＢ３４）へ問い合わせる。そして、検索部３６を介してコンテンツＤＢ３４から得られた情報をユーザ端末２０に返信する。
【００３３】
検索部３６は、索引処理部３５から情報の問い合わせを受け、コンテンツＤＢ３４を検索する。
なお、索引処理部３５にて、複数のメディア種別に渡る情報が検出された場合に、検索部３６は、各メディア種別のコンテンツＤＢ３４をそれぞれ検索する。
そして、検索部３６は、検索結果を索引処理部３５に供給する。例えば、問合せ結果をメディア種別ごとにまとめて索引処理部３５に供給し、ユーザ端末２０へ返信させる。
また、検索部３６は、コンテンツＤＢ３４等のメンテナンスも適宜行う。例えば、終了日を過ぎた情報をコンテンツＤＢ３４から削除する。
【００３４】
次に、このような構成の情報提供システムの動作について、図７を参照して説明する。この図７は、本発明の実施形態に係る情報提供処理を説明するためのフローチャートである。
【００３５】
まず、情報提供装置３０は、提供元端末１０からメディア情報を受信する（ステップＳ１０１）。
すなわち、情報受信部３１は、映画配給会社、放送局、出版社、ＤＶＤ販売会社、及び、舞台主催者などからメディア情報を受信する。このメディア情報は、上述した図４に示すように、それぞれフォーマットが定められているものとする。
【００３６】
情報提供装置３０は、メディア情報を適宜加工する（ステップＳ１０２）。
すなわち、情報加工部３２は、メディア情報から索引ＤＢ３３やコンテンツＤＢ３４に必要な情報を抽出し、抽出した情報を各ＤＢに格納する。
【００３７】
具体的に索引ＤＢ３３を作成するために、情報加工部３２は、メディア情報のタイトルカラムからタイトル、出演者カラム、監督カラムから人名、上映場所カラムから駅名、地名などの場所情報を抽出する。
そして、抽出したタイトル、人名、場所情報をキーとし索引ＤＢ３３の各ＤＢ（タイトルＤＢ、人名ＤＢ、及び、場所ＤＢ）を走査する。その際、ヒットするレコードが存在した場合に、情報加工部３２は、該当キーにレコードを追加する。
一方、ヒットするレコードが存在しない場合に、情報加工部３２は、キーとレコードを追加する。つまり、メディア情報のタイトルカラムからタイトルを抽出し、詳細タイトルを追加レコードに設定する。また、詳細タイトルを元にハッシュ値などを用いて一意となるＩＤを算出し、算出したＩＤを詳細タイトルＩＤとして追加レコードに設定する。この詳細タイトルＩＤは、コンテンツＤＢ３４の作成時にも用いる。また、メディア種別とメディア情報の提供元を紐付け、その情報を予め用意しておき、追加レコードにメディア種別を設定する。更に、メディア情報の開始日、終了日を抽出し、追加レコードに設定する。
【００３８】
また、コンテンツＤＢ３４を作成するために、情報加工部３２は、レコードを追加し、上述した索引ＤＢ３３の作成時に算出した詳細タイトルＩＤを設定する。そして、メディア情報から開始日、終了日、出演者、監督、上映場所、概要、価格を抽出し、追加レコードに設定する。
【００３９】
一方、ユーザ端末２０は、キーワードと日時を伴って情報提供装置３０にアクセスする。
例えば、ユーザ端末２０は、図８に示すような問合せ情報入力画面を表示する。ユーザは、この画面において、ユーザが求める情報のキーワードとなる、タイトル、人名、場所のうちの何れか（一部又は全部）を入力する。
そして、ユーザ端末２０は、ユーザが入力しキーワードに、システム日時を付加した問合せ情報を、情報提供装置３０にへ送信する。
なお、ユーザにより日時が指定された場合には、その指定日時をキーワードに付加した問い合わせ情報を情報提供装置３０にへ送信することになる。
【００４０】
情報提供装置３０は、ユーザ端末２０からのキーワードと日時を含む問い合わせ情報を受信する（ステップＳ１０３）。
すなわち、索引処理部３５が、キーワード及び日時を含む問い合わせ情報を受信する。
【００４１】
情報提供装置３０は、問合せ情報に応じた情報を検索する（ステップＳ１０４）。
すなわち、索引処理部３５は、問合せ情報の各項目をキーとして索引ＤＢ３３の各ＤＢ（タイトルＤＢ、人名ＤＢ、及び、場所ＤＢ）を走査する。そして、入力項目がヒットしたレコード群から日時（一例として、システム日時）と開始日を比較し、最も間隔が短く、且つシステム日付が終了日前のレコードを検索する。
索引処理部３５は、検索したレコードの詳細タイトルＩＤ、メディア種別をキーとして検索部３６へ問い合わせる。その際、複数のメディア種別にて詳細タイトルＩＤがヒットした場合は、ヒットした分だけ問合せ情報を作成する。なお、詳細タイトルＩＤがヒットしたが、開始日、終了日が空欄の場合には、詳細タイトルＩＤで場所ＤＢを検索する。
検索部３６は、問合せ情報を元に各メディア種別のコンテンツＤＢ３４へタイトルＩＤをキーとして問い合わせる。そして、コンテンツＤＢ３４からの問合せ結果を索引処理部３５へ送信する。
【００４２】
情報提供装置３０は、問い合わせ結果をユーザ端末２０へ送信する（ステップＳ１０５）。
すなわち、索引処理部３５は、検索部３６から得られた問合せ結果を、ユーザ端末２０に送信する。
そして、ユーザ端末２０は、問い合わせ結果を表示する。
【００４３】
なお、情報提供装置３０は、所定のタイミングで、各ＤＢのメンテナンスを適宜行う。
すなわち、索引処理部３５は、索引ＤＢ３３の終了日がシステム日付と比較して過去日となったレコードを検索し、詳細タイトルＩＤを取得する。そして、その詳細タイトルＩＤのレコードを索引ＤＢ３３から削除する。
そして、索引処理部３５は、検索部３６へ、その詳細タイトルＩＤの削除要求を送信する。
検索部３６は、索引処理部３５から削除要求を受信すると、詳細タイトルＩＤをキーとして該当するレコードをコンテンツＤＢ３４から検索する。そして、検索したレコードをコンテンツＤＢ３４から削除する。
【００４４】
このように、本発明の実施形態に係る情報提供システムは、情報提供装置３０において、索引ＤＢ３３が開始日、終了日を保有することにより、日時に応じてユーザに提供する情報を自在に変化させることができる。
また、索引ＤＢ３３のキー項目としてタイトル、人名、場所情報を保有することによって、タイトルだけでなく、出演者、監督、場所を指定して欲しい情報を絞りこむことができる。
このような情報提供システム特徴から、ユーザは、その時々に応じてキーワードに関する様々な情報を受け取ることができる。
例えば、ある映画が放送局とタイアップをしていたとする。つまり、その映画の公開前に放送局が関連番組を放送するものとする。その場合において、ユーザは、関連番組放送前ではその番組情報が問合せ結果として受領できる。そして、映画公開直前では映画情報を受領できる。また、映画公開中は、場所情報と合わせて、その場所で現在公開中の映画情報の中の一要素として受領できる。
その一方、映画配給会社などは、映画のタイアップ番組、イベント情報などを様々な宣伝情報をユーザに伝えることが可能であるため、新たな宣伝フィールドを獲得することができる。チケット販売会社は、ユーザに提供する問合せ結果の中にチケット購入サイトへのリンクを付与することによって、チケット販売促進ができる。
そして、このような宣伝によって、情報提供者は、映画配給会社などから宣伝料や提携料を受領することができる。
【００４５】
上記の実施形態に係る情報提供装置３０では、種々の情報を付加して、ユーザに提供することができる。
例えば、公演期間に舞台情報を返却する場合に、公演場所の地図情報も合わせてユーザに提供してもよい。
また、コンテンツＤＢ３４の概要に映画配給会社などメディア情報の提供元のＵＲＬ情報を格納可能とし、そのＵＲＬ情報も合わせてユーザに提供してもよい。
更に、チケット販売会社からチケットの予約開始日、予約終了日を受取り、チケット予約情報を映画情報同様にユーザへ提供することにより、上映前にチケットを購入したいユーザにチケットを購入する機会を与えてもよい。
【００４６】
上記の実施形態にかかる情報提供装置３０では、１つの検索部３６を用いる場合について説明したが、検索部３６の数は１つに限られず２以上であってもよい。
例えば、検索部３６をコンテンツＤＢ３４ごとに設ける。そして、索引処理部３５は、メディア種別ごとに問合せ文の送信先を対象の検索部３６に振り分けるようにしてもよい。
【産業上の利用可能性】
【００４７】
本発明によれば、日時等に応じて、旬な情報を提供することのできる情報提供装置、情報提供方法、および、プログラムを提供することができる。
【符号の説明】
【００４８】
１０  提供元端末
２０  ユーザ端末
３０  情報提供装置
３１  情報受信部
３２  情報加工部
３３  索引ＤＢ
３４（３４−１〜３４−ｎ）  コンテンツＤＢ
３５  索引処理部
３６  検索部
【図１】
2010231571.tif 000003
【図２】
2010231571.tif 000004
【図３】
2010231571.tif 000005
【図４】
2010231571.tif 000006
【図５】
2010231571.tif 000007
【図６】
2010231571.tif 000008
【図７】
2010231571.tif 000009
【図８】
2010231571.tif 000010